(57)【特許請求の範囲】
【請求項１】
カメラ本体と、
前記カメラ本体にヒンジを介して回転可能に取り付けられた表示手段と、
前記ヒンジが設けられた近傍を通って、前記カメラ本体と前記表示手段とを電気的に接続する可撓性配線材と、
前記カメラ本体と前記表示手段との間に設けられ、前記ヒンジが設けられた近傍において前記可撓性配線材を覆うように配置された回転蓋と、
前記ヒンジの下方に孔を設けたヒンジカバーと、
を備えるカメラ。
【請求項２】
前記表示手段は、前記カメラ本体に前記ヒンジを介して下向きに回転可能に取り付けられた
請求項１に記載のカメラ。
【発明の詳細な説明】
【技術分野】
【０００１】
本発明は、カメラ本体に対して回転可能に取り付けられた表示手段を備えるカメラに関し、特に、表示手段の取り付け部に水の浸入防止を図ったカメラに関する。
【背景技術】
【０００２】
カメラの本体部に対して電子ビューファインダーを開閉および回転自在に取り付けられたビデオカメラは、例えば特許文献１に開示されている。
【０００３】
特許文献１に開示された発明によれば、ＥＶＦを収納可能となり、また、収納したままでも使用可能となる。また、ＥＶＦを視認性のよい角度に合わせて撮影できる。
【特許文献１】特開平８−１２５８９０号公報
【発明の開示】
【発明が解決しようとする課題】
【０００４】
しかしながら、従来のカメラでは、カメラ本体とＥＶＦとを配線材により電気的に接続している。そして、カメラ本体の筐体に孔をあけ、配線材を通過させる必要があった。このため、カメラ本体に対して回転可能に取り付けられた表示手段を備えるカメラにおいては、配線材の通過経路から水、特に雨水が浸入するおそれがある。水が浸入してしまうとカメラ本体の内部の部材が浸食される等品質上の問題を生じるので、効果的に水の浸入を防止することが必要である。
【０００５】
そこで、本発明は、カメラ本体に対して回転可能に取り付けられた表示手段を備えるカメラにおいて、表示手段とカメラ本体とを接続する配線材の通過経路から水がカメラ本体内に浸入することを防止できるカメラを提供することを目的とする。
【課題を解決するための手段】
【０００６】
上記目的を達成するために、本発明のカメラは、カメラ本体と、カメラ本体にヒンジを介して回転可能に取り付けられた表示手段と、ヒンジが設けられた近傍を通って、カメラ本体と表示手段とを電気的に接続する可撓性配線材と、カメラ本体と表示手段との間に設けられ、ヒンジが設けられた近傍において可撓性配線材を覆うように配置された回転蓋と、ヒンジの下方に孔を設けたヒンジカバーと、を備える。
【０００７】
回転蓋は、カメラ本体ではなく、ヒンジ側に設けてもよい。
【０００８】
また、ヒンジを覆うヒンジカバーに、ヒンジの下方に孔を設けてもよい。
【０００９】
また、可撓性配線材の通過経路をカメラ本体側でパッキンにより密閉するようにしてもよい。この際、パッキンの一部にはリブを設けてもよい。また、パッキンをカメラ筐体の裏面に固定する固定部材を設けてもよい。
【発明の効果】
【００１０】
本発明によれば、カメラ本体に対して回転可能に取り付けられた表示手段を備えるカメラにおいて、表示手段とカメラ本体とを接続する配線材の通過経路から水がカメラ本体内に浸入することを防止できる。
【発明を実施するための最良の形態】
【００１１】
以下、本発明の実施の形態について、図面を用いて説明する。
【００１２】
（実施の形態１）
図１は、本発明の実施の形態１にかかるデジタルカメラ１の背面斜視図である。デジタルカメラ１は、カメラ本体１０と液晶モニタ３０を備える。カメラ本体１０は、背面側が背面筐体１１で構成される。液晶モニタ３０は、背面筐体１１にヒンジ２０を介して回転可能に取り付けられている。
【００１３】
ヒンジ２０は、回転軸を２軸有している。そのため、液晶モニタ３０はヒンジ２０の２軸を中心に回転可能である。液晶モニタ３０をカメラ本体１０から遠ざかる方向に回転した状態を図２に示す。液晶モニタ３０は、図２に示すように開いた状態で、開く方向の回転軸と垂直な回転軸に対しても回転可能である。また、液晶モニタ３０の表示面の反対面は保護材である。したがって、液晶モニタ３０を開いた状態で回転させ、元の閉じた状態に戻すことにより、液晶モニタ３０の表示面を図１に示すようにカメラ本体１の背面側から見えるように配置することもでき、また、カメラ本体１０の背面に対向させて配置することもできる。カメラ本体１０の背面に対向させて配置すれば、液晶モニタ３０の表示面は保護材で保護されるので、持ち運び等の際に表示面の破損を防止できる。
【００１４】
また、デジタルカメラ１は、液晶モニタ３０を開いた状態でも撮像可能である。図２に示すように、ユーザーは、液晶モニタ３０を下向きにすることにより、デジタルカメラ１を自らの上方に構えて液晶モニタ３０を見ながら撮像できる。また、液晶モニタ３０を回転させれば、ユーザーは、デジタルカメラ１を自らの横方向や下方等好みの姿勢に構えて撮像することができる。
【００１５】
このように、デジタルカメラ１は液晶モニタ３０を開いた姿勢で撮影可能であるが、その際に雨が降ってきた場合に、液晶モニタ３０とカメラ本体１０とを電気的に接続するフレキシブル配線基板が濡れるのを防ぐため、回転蓋４１を設ける。図２に示すように、回転蓋４１は、カメラ本体１０と液晶モニタ３０との間に設けられて、一端４１ａがカメラ本体１０に回転可能に設けられ、ばね４３の付勢力によって他端４１ｂが液晶モニタ３０側に付勢されている。したがって、回転蓋４１の少なくとも一部は、液晶モニタ３０がどのように開いた姿勢であっても、ヒンジ２０の回転動作に追従し、常に、ヒンジ２０のカバーに当接する。これにより、雨水が回転蓋４１の下方に落ちるのを防ぐことができる。
【００１６】
ヒンジ２０を覆うヒンジカバー２１の下方には孔２３を設ける。これにより、ヒンジカバー２１内に水が入り込んでも、入り込んだ水は孔２３から排出される。そのため、雨が降っているときでも、ユーザーは、液晶モニタ３０を開いて撮像することができる。
【００１７】
図３は、液晶モニタ３０を閉じた状態における断面図である。また、図４は、液晶モニタ３０を開いた状態における断面図である。
【００１８】
液晶モニタ３０とカメラ本体１０内の部材とは、可撓性のフレキシブル配線基板５０で電気的に接続されている。フレキシブル配線基板５０は、ヒンジ２０が設けられた近傍を通るよう配置されている。また、背面筐体１１には、フレキシブル配線基板５０を挿通するための挿通孔１１ａが設けられている。
【００１９】
回転蓋４１は、挿通孔１１ａにおいてフレキシブル配線基板５０を覆うように配置されている。回転蓋４１の一端側４１ａは、軸４２によって回転可能に背面筐体１１に取り付けられている。軸４２には、ばね４３も取り付けられており、ばね４３の一端は背面筐体１１に固定され、他端は回転蓋４１に固定されている。この構成により、ばね４３は、回転蓋４１を液晶モニタ３０側に付勢する。そのため、回転蓋４１は、その一部が常にヒンジ２０に当接し、挿通孔１１ａおよびフレキシブル配線基板５０を覆う。これにより、回転蓋４１は、挿通孔１１ａから雨水が浸入するのを防止できる。また、回転蓋４１は、フレキシブル配線基板５０が雨水に濡れるのを防ぐことができ、フレキシブル配線基板５０の腐食を防ぐことができる。
【００２０】
ヒンジ２０の回転蓋４１と当接する箇所には、突起２０ａを設ける。これにより、回転蓋４１とヒンジ２０との間に隙間が生じにくくできるため、挿通孔１１ａへの雨水の浸入をより防止できる。
【００２１】
挿通孔１１ａは、ゴムパッキン６０によって、背面筐体１１の裏面で覆われている。これにより、挿通孔１１ａに水が浸入しても、カメラ本体１０内部の他の部材に浸入した水が達するのを防ぐことができる。ゴムパッキン６０が被覆する様子を図５〜図８を用いて説明する。図５〜図８は、背面筐体１１を裏面から見た斜視図である。
【００２２】
フレキシブル配線基板５０は、図５に示すように、挿通孔１１ａを通ってカメラ本体１０の外部と内部とを接続している。挿通孔１１ａを、図６に示すように、ゴムパッキン６０で覆う。
【００２３】
図７は、ゴムパッキン６０の背面筐体１１と密着する面から見た斜視図である。ゴムパッキン６０の中央部には凹部が設けられ、ゴムパッキン６０は、凹部が挿通孔１１ａを覆うように配置される。凹部の周縁近傍の少なくとも一部には、リブ６１が設けられている。リブ６１は、断面形状が突起状であり、三角形状であるのが好ましい。リブ６１は、凹部の周縁近傍に２重に設けられている。
【００２４】
背面筐体１１に取り付けられたゴムパッキン６０は、図８に示すように、固定部材７０によって背面筐体１１に押付けられるようにして固定される。これにより、リブ６１が押し潰されるため、ゴムパッキン６０と背面筐体１１との隙間をなくすことができるので、ゴムパッキン６０から水がカメラ本体１０の内部に浸入するのを防ぐことができる。
【００２５】
なお、デジタルカメラ１は本発明のカメラの一例である。本発明のカメラは、これには限らず、フィルムカメラやムービー、カメラ付携帯電話端末等でもよく、カメラ本体に対して回転可能な表示手段を有するものであればよい。
【００２６】
液晶モニタ３０は本発明の表示手段の一例である。本発明の表示手段は、これには限らず、有機ＥＬ表示デバイスを有するもの等でもよく、カメラ本体に対して回転可能なものであればよい。また、本実施の形態１では、液晶モニタ３０を支えるヒンジ２０は液晶モニタ３０の下方に設けたが、これに限らず、液晶モニタ３０の横に設けてもよく、上方に設けてもよい。ただし、回転蓋４１を設けない場合、特に、本実施の形態のようにヒンジ２０を下方に設けると、挿入孔１１ａへの雨水の浸入が発生しやすくなる。したがって、本発明は、ヒンジを表示手段の下方に設ける場合に雨水の浸入に対して特に効果がある。
【００２７】
本実施の形態１では、回転蓋４１は、カメラ本体１０側に設けるとしたが、ヒンジ２０に設けてもよい。また、回転蓋４１は、軸４２によって回転可能に取り付けられるとしたが、他の方法で回転可能に取り付けてもよい。例えば、回転蓋４１を弾性変形可能な部材を介してカメラ本体１０またはヒンジ２０に設けてもよい。また、本実施の形態１では、回転蓋４１は、ばね４３によって付勢されるとしたが、付勢手段としてはばね４３以外のものを用いてもよい。例えば、ゴム状体等により付勢してもよい。
【００２８】
挿通孔１１ａは本発明のカメラ筐体に設けられた孔の一例である。フレキシブル配線基板５０は本発明の可撓性配線材の一例であるが、これには限らない。本発明の可撓性配線材は、撓むことができる接続部材であればよく、例えば、銅線等でもよい。
【００２９】
ゴムパッキン６０は本発明のパッキンの一例である。本発明のパッキンは、これには限らず、他の材料でできたものでもよい。例えば、プラスチック製等でもよい。また、本実施の形態１では、ゴムパッキン６０にリブ６１を設けたが、必ずしも必要不可欠なものではない。リブ６１の形状は、断面形状が三角形状のものとしたが、これには限らない。例えば、半球上のもの等でもよく、断面が突起形状であればよい。
【００３０】
固定部材７０は、薄い金属板が好ましいが、プラスチック板等でも構わない。金属板の場合、ステンレス製のものが好ましい。
【産業上の利用可能性】
【００３１】
本発明は、カメラ本体と表示手段とを接続する可撓性配線材が通過する挿入孔からカメラ本体内に水（特に雨水）が浸入するのを防ぐことができるので、カメラ本体に対して表示手段が回転可能なカメラに適用可能である。例えば、デジタルスチルカメラ、フィルムカメラ、ビデオカメラ、一眼レフカメラ、カメラ機能付携帯電話端末等に適用可能である。
【図面の簡単な説明】
【００３２】
【図１】本発明の実施の形態１のデジタルカメラの液晶モニタを閉じた状態における背面斜視図
【図２】本発明の実施の形態１のデジタルカメラの液晶モニタを開いた状態における背面斜視図
【図３】本発明の実施の形態１のデジタルカメラの液晶モニタを閉じた状態における断面図
【図４】本発明の実施の形態１のデジタルカメラの液晶モニタを開いた状態における断面図
【図５】本発明の実施の形態１のデジタルカメラのゴムパッキンを取り付ける前の状態における背面筐体の裏面を示す斜視図
【図６】本発明の実施の形態１のデジタルカメラのゴムパッキンを取り付けた状態における背面筐体の裏面を示す斜視図
【図７】本発明の実施の形態１のデジタルカメラのゴムパッキンの密着面側から見た斜視図
【図８】本発明の実施の形態１のデジタルカメラの固定部材を取り付けた状態における背面筐体の裏面を示す斜視図
【符号の説明】
【００３３】
１    デジタルカメラ
１０    カメラ本体
１１    背面筐体
１１ａ    挿通孔
２０    ヒンジ
２０ａ    当接突起
２１    ヒンジカバー
２３    水抜き孔
３０    液晶モニタ
４１    回転蓋
４１ａ    回転蓋の一端
４１ｂ    回転蓋の他端
４２    軸
４３    ばね
５０    フレキシブル配線基板
６０    ゴムパッキン
６１    リブ
７０    固定部材
【図１】
0004604895.tif 000002
【図２】
0004604895.tif 000003
【図３】
0004604895.tif 000004
【図４】
0004604895.tif 000005
【図５】
0004604895.tif 000006
【図６】
0004604895.tif 000007
【図７】
0004604895.tif 000008
【図８】
0004604895.tif 000009